(57)【要約】【課題】使用する際に便利であり、且つ美しい外観を有するタッチ式透明キーボードを提供すること。【解決手段】本発明のタッチ式透明キーボードは、制御モジュールが連接されたタッチパレットと、透明基板と、前記タッチパレットと前記透明基板との間に介在され、且つ複数のキーアイコン及び前記キーアイコンに電気的に接続される駆動回路が設けられたキーシートと、を備える。前記駆動回路は、前記制御モジュールからの制御信号を受けると、前記キーアイコンを発光させて、前記キーアイコンが前記タッチパレットを透過して表示される。【選択図】図１
2011248871.tif 000002
【特許請求の範囲】
【請求項１】
制御モジュールが連接されたタッチパレットと、
透明基板と、
前記タッチパレットと前記透明基板との間に介在され、且つ複数のキーアイコン及び前記キーアイコンに電気的に接続される駆動回路が設けられたキーシートと、を備えるタッチ式透明キーボードであって、
前記駆動回路は、前記制御モジュールからの制御信号を受けると、前記キーアイコンを発光させて、前記キーアイコンが前記タッチパレットを透過して表示されることを特徴とするタッチ式透明キーボード。
【請求項２】
前記キーシートは薄膜を有し、前記薄膜はポリエステル薄膜或いはナイロン薄膜であり、前記キーアイコン及び前記駆動回路が前記薄膜の前記タッチパレットに対面する表面にコーティングされることを特徴とする請求項１に記載のタッチ式透明キーボード。
【請求項３】
前記キーアイコンは電界発光効果を有する透明材料からなり、前記駆動回路は透明導電材料からなることを特徴とする請求項１又は２に記載のタッチ式透明キーボード。
【請求項４】
前記制御モジュールは、インジウムガリウム酸化物によって形成された透明体であり、且つその内部には前記キーアイコンの座標範囲情報及び各キーアイコンに対応する指令情報が格納されていることを特徴とする請求項１から３の何れか一項に記載のタッチ式透明キーボード。
【請求項５】
前記タッチパレットは、透光性を有し且つ透明な静電容量式タッチパレットであり、透明保護層、第一導電層、透明基体及び第二導電層が上から下に至って順次に積層されてなり、前記透明保護層はシリカからなり、前記第一導電層及び前記第二導電層はインジウム錫酸化物からなり、前記透明基体はガラス板であり、前記キーシートは前記タッチパレットの前記透明保護層から離れている表面に貼着されることを特徴とする請求項１に記載のタッチ式透明キーボード。
【発明の詳細な説明】
【技術分野】
【０００１】
本発明は、タッチ式キーボードに関し、特にタッチ式透明キーボードに関するものである。
【背景技術】
【０００２】
キーボードは、主な入力デバイスとして、電子装置にとって不可欠な外付け部品である。従来のキーボードは通常、複数の独立したキー支持部及びキートップから構成される。前記キーボードを利用してコンピューターに情報を入力する場合、大きな力で前記キートップをクリックしなければならない。従って、ユーザーが長時間クリックすると、疲労を感じ易い。しかも現在、このようなキーボードは、消費者の電子装置に対する個性的なニーズを満たさない。
【発明の概要】
【発明が解決しようとする課題】
【０００３】
本発明は、上記の問題点を考慮してなされたものであり、使用する際に便利であり、且つ美しい外観を有するタッチ式透明キーボードを提供することを目的とする。
【課題を解決するための手段】
【０００４】
前記課題を解決するために、本発明に係るタッチ式透明キーボードは、制御モジュールが連接されたタッチパレットと、透明基板と、前記タッチパレットと前記透明基板との間に介在され、且つ複数のキーアイコン及び前記キーアイコンに電気的に接続される駆動回路が設けられたキーシートと、を備える。前記駆動回路は、前記制御モジュールからの制御信号を受けると、前記キーアイコンを発光させて、前記キーアイコンが前記タッチパレットを透過して表示される。
【発明の効果】
【０００５】
従来の技術と比較すると、本発明のタッチ式透明キーボードは、タッチパレット構造を採用するため、ユーザーはキートップをクリックすることなく情報を入力することができ、使用する際に便利である。また、前記タッチ式透明キーボードの全体が透明であり、通電する場合に、前記キーアイコンが発光して前記タッチパレットを透過して表示されるため、美しい外観を有する。
【図面の簡単な説明】
【０００６】
【図１】本発明の実施形態に係るタッチ式透明キーボードの分解図である。
【図２】図１に示したタッチ式透明キーボードのタッチパレットの断面構造図である。
【図３】図１に示したタッチ式透明キーボードの透明基板の背面図である。
【図４】図１に示したタッチ式透明キーボードが通電する際の使用状態図である。
【発明を実施するための形態】
【０００７】
図１に示したように、本発明の好適な実施形態に係るタッチ式透明キーボード１００は、コンピューター或いはプリンターなどの電子装置の入力設備として使用され、且つタッチパレット１０、キーシート３０及び透明基板５０を備える。前記キーシート３０は、前記タッチパレット１０と前記透明基板５０との間に介在されている。
【０００８】
図２を参照すると、前記タッチパレット１０は、透光性を有し且つ透明な静電容量式タッチパレットであって、透明保護層１２、第一導電層１４、透明基体１６、第二導電層１７、電源線１８及び制御モジュール１９を備える。前記透明保護層１２、第一導電層１４、透明基体１６及び第二導電層１７は、上から下へ順次に積層して配置されている。本実施形態において、前記透明保護層１２は、シリカ或いはポリエチレンテレフタレート（ＰＥＴ）薄膜から製作されてなる。前記第一導電層１４は、位置を測定するための機能層として、インジウム錫酸化物（ＩＴＯ)、アルミニウム酸化物添加亜鉛酸化物（ＺＡＯ)或いは酸化カドミウム（ＣｄＯ）などの透明導電材料からなる。前記透明基体１６は、ガラス或いは透明プラスチック板である。前記第二導電層１７も透明導電材料からなり、この第二導電層１７はマスキング層として、前記タッチパレット１０が静電気或いは電磁波に干渉されることを防ぎ、前記タッチパレット１０に理想的な動作環境を提供する。前記電源線１８は、前記タッチパレット１０の側辺に電気的に接続される。前記制御モジュール１９は集積チップであって、前記電源線１８上に固定され、且つ軟性ケーブル（図示せず）を介して前記第一導電層１４、第二導電層１７及び前記電源線１８に電気的に接続される。ユーザーの指先などが前記タッチパレット１０の透明保護層１２に接触する瞬間に、指先と前記タッチパレット１０との間には静電容量が発生する。従って、前記制御モジュール１９は、電流の変化を測定して、接触位置の座標を判断すると共に対応する指令情報を発生し、且つこの指令情報をコンピューターなどの端末設備に伝送する。
【０００９】
前記キーシート３０は、前記タッチパレット１０の前記透明保護層１２から離れている片側に貼着されて、複数のキーアイコン３４及び駆動回路３６がコーティングされた薄膜３２を備える。本実施形態において、前記薄膜３２は、ポリエステル薄膜或いはナイロン薄膜（Ｐｏｌｙａｍｉｄｅ，ＰＡ）などの透明材料からなる。前記キーアイコン３４は、電界発光効果を有する透明材料からなり、且つ前記タッチ式透明キーボード１００が通電する際に発光するので、ユーザーは前記タッチパレット１０を透過してその標示内容を視認できる。前記キーアイコン３４の配列及び標示内容を、実際の需要に応じて英文アルファベット、漢字或いは平仮名などに変更することができる。前記キーアイコン３４の情報（例えば、「Ｋ」キーの座標範囲情報及び対応する指令情報）は、予め前記タッチパレット１０の制御モジュール１９内に格納され、且つ前記タッチパレット１０のタッチされる位置にそれぞれ対応している。前記駆動回路３６は、透明導電材料からなり、前記キーシート３０の短手方向の片側に塗布して形成され、且つ電気回線を介して前記キーアイコン３４及び前記制御モジュール１９に電気的に接続される。前記駆動回路３６は、前記キーアイコン３４が発光させるか否かをコントロールする。前記駆動回路３６が前記制御モジュール１９からの制御信号を受けて通電する場合、前記キーアイコン３４は発光して前記タッチパレット１０を透過して表示される。前記駆動回路３６に通電しない場合、前記キーアイコン３４は発光しない。
【００１０】
図３に示したように、前記透明基板５０の全体が略弧状であり、中部が僅かに窪んで、前記キーシート３０及び前記タッチパレット１０を載置するために用いられる。前記透明基板５０は、ガラス或いは透明樹脂などの材料からなり、互いに対向する正面５２及び背面５４を備える。前記キーシート３０の前記キーアイコン３４に背離する表面は、前記透明基板５０の正面５２に貼着される。前記背面５４には、前記透明基板５０の長さに等しく且つ逆三角形を呈する透明な支持ブラケット５６が突設されている。前記支持ブラケット５６が存在するため、前記タッチ式透明キーボード１００が卓上に設置されると、略傾斜状態になる。
【００１１】
図４に示したように、前記タッチ式透明キーボード１００に通電しない場合には、前記キーアイコン３４は発光しない。即ち、前記タッチパレット１０の上面から前記キーアイコン３４を視認できない。前記タッチ式透明キーボード１００に通電する場合、前記キーアイコン３４は発光して前記タッチパレット１０を透過して表示される。この際、ユーザーが前記タッチパレット１０をタッチすると、前記制御モジュール１９は、タッチされた位置を検知すると共に、このタッチされた位置の座標情報を記録して、前記座標情報と予め格納された前記キーアイコン３４の座標範囲情報とを比較して、タッチされた位置に対応する指令情報を出力する。
【００１２】
また、前記タッチ式透明キーボード１００が無線式のキーボードである場合には、前記制御モジュール１９を前記タッチパレット１０の側辺に独立して設けてもよい。或いは、インジウムガリウム（Ｉｎｄｉｕｍ  Ｇａｌｌｉｕｍ）酸化物によって透明な制御モジュール１９を形成して、前記タッチ式透明キーボード１００を完全に透明化してもよい。
【００１３】
また、前記薄膜３２の材料は、透明材料に限定されるものではなく、有色材料を採用して、前記タッチ式透明キーボード１００の外観を色付けしてもよい。
【００１４】
また、前記制御モジュール１９によって前記駆動回路３６の通電状態をコントロールする方法は、以下の２種がある。第一の方法は、コンピューターなどの装置を起動する際、キーボードインターフェースポートの電源を直接伝送するものである。第二の方法は、前記タッチパレット１０のタッチ信号を検知した後に、前記駆動回路３６を通電させるものである。第二の方法では、前記タッチ式透明キーボード１００を使用しない場合に、それを待機状態にさせることによって、電気エネルギーを節約する。
【００１５】
また、本発明のタッチパレット１０は、抵抗膜式、表面音波式或いは光学式などのタッチパレットとすることが可能である。
【００１６】
本発明によれば、前記タッチ式透明キーボード１００は、タッチパレット部材を採用するため、ユーザーはキートップをクリックすることなく情報を入力することができ、使用する際に便利である。また、前記タッチ式透明キーボード１００の全体が透明であり、通電する場合に、前記キーアイコン３４が発光して前記タッチパレットを透過して表示されるため、美しい外観を有する。
【００１７】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、いうまでもない。
【符号の説明】
【００１８】
１０        タッチパレット
１２        透明保護層
１４        第一導電層
１６        透明基体
１７        第二導電層
１８        電源線
１９        制御モジュール
３０        キーシート
３２        薄膜
３４        キーアイコン
３６        駆動回路
５０        透明基板
５２        正面
５４        背面
５６        支持ブラケット
１００      タッチ式透明キーボード
【図１】
2011248871.tif 000003
【図２】
2011248871.tif 000004
【図３】
2011248871.tif 000005
【図４】
2011248871.tif 000006